(57)【要約】【目的】本発明は、暗証番号を入力する暗証番号入力方法および暗証番号入力装置に関し、暗証番号を入力する際に、入力者の手の動きや位置から第三者に暗証番号を推察されることを防止することを目的とする。【構成】  １つの数字を表示する表示部と、表示部に表示する数字を変える指示を入力する１つの数字キーと、表示部に表示された数字を暗証番号として入力するときに押下する１つの確定キーとを設け、数字キーが押下される毎に、乱数で発生させた１つの数字を表示部に順次表示するステップと、確定キーが押下される毎に、表示部に表示されている１つの数字を順次取り込むステップと、順次取り込まれた数字列を暗証番号として出力するステップとを有する。【選択図】        図１
2005182094.tif 000002
【特許請求の範囲】
【請求項１】
暗証番号を入力する暗証番号入力方法において、
１つの数字を表示する表示部と、
前記表示部に表示する数字を変える指示を入力する１つの数字キーと、
前記表示部に表示された数字を暗証番号として入力するときに押下する１つの確定キーとを設け、
前記数字キーが押下される毎に、乱数で発生させた１つの数字を前記表示部に順次表示するステップと、
前記確定キーが押下される毎に、前記表示部に表示されている１つの数字を順次取り込むステップと、
前記順次取り込まれた数字列を暗証番号として出力するステップと
を有する暗証番号入力方法。
【請求項２】
暗証番号を入力する暗証番号入力方法において、
０から９までの数字をそれぞれ表示する表示部と、
前記表示部に表示されている０から９までの数字のうちのいずれか１つを指すポインタの位置を変える指示を入力する１つのポインタキーと、
前記表示部に表示された数字を暗証番号として入力するときに押下する１つの確定キーとを設け、
前記ポインタキーが押下される毎に、乱数で発生させた数字に対応する、前記表示部上の数字の位置を前記ポインタで指すステップと、
前記確定キーが押下される毎に、前記表示部上の前記ポインタで指されている１つの数字を順次取り込むステップと、
前記順次取り込まれた数字列を暗証番号として出力するステップと
を有する暗証番号入力方法。
【請求項３】
暗証番号を入力する暗証番号入力方法において、
０から９までの数字を、複数のグループに分けてそのうちの１つのグループに属する数字を表示する表示部と、
前記表示部に表示されている数字を指すポインタの位置を変える指示を入力するポインタキーと、
前記表示部に表示された数字を暗証番号として入力するときに押下する１つの確定キーとを設け、
前記ポインタキーが押下される毎に、乱数で発生させた数字に対応する、前記表示部上の数字の位置を前記ポインタで指す、あるいは前記表示部上に数字が表示されていないときは当該数字の属するグループに切り換えて数字を表示した後に当該数字を前記ポインタで指すステップと、
前記確定キーが押下される毎に、前記表示部上の前記ポインタで指されている１つの数字を順次取り込むステップと、
前記順次取り込まれた数字列を暗証番号として出力するステップと
を有する暗証番号入力方法。
【請求項４】
前記乱数で発生させた数字は、前記数字キーあるいは前記ポインタキーが押下されたときに、システム時刻をもとに乱数で発生させた０から９までのいずれかの数字としたことを特徴とする請求項１から請求項３のいずれかに記載の暗証番号入力方法。
【請求項５】
暗証番号を入力する暗証番号入力装置において、
１つの数字を表示する表示部と、
前記表示部に表示する数字を変える指示を入力する１つの数字キーと、
前記表示部に表示された数字を暗証番号として入力するときに押下する１つの確定キーと、
前記数字キーが押下される毎に、乱数で発生させた１つの数字を前記表示部に順次表示する手段と、
前記確定キーが押下される毎に、前記表示部に表示されている１つの数字を順次取り込む手段と、
前記順次取り込まれた数字列を暗証番号として出力する手段と
を備えたことを特徴とする暗証番号入力装置。
【発明の詳細な説明】
【技術分野】
【０００１】
本発明は、暗証番号を入力する暗証番号入力方法および暗証番号入力装置に関するものである。
【背景技術】
【０００２】
従来、ＡＴＭ（現金自動入出金装置）は、現金の入出金などを行う場合、利用者がタッチパネル上から本人の氏名などの個人情報を入力あるいはカードから個人情報を読み取った後、暗証番号を入力させて本人確認を行い、入出金などを行うようにしている。
【０００３】
この際、暗証番号の入力は、タッチパネル部に表示されるテンキーを順次選択して入力している。これでは、選択したテンキーの位置と回数から暗証番号を推察されて盗用される可能性が有り、これを避けるために、タッチパネル部に表示されるテンキーの表示位置座標を乱数を用いて変えることにより、第三者への暗証番号の漏洩を防止していた（特許文献１）。
【０００４】
また、表示画面上に０〜９の数字からなる回転数字板を回転させ、回転しながら変わっている所望の数字がポインタの位置に来たときに、確定ボタンを順次押して入力し、手の位置で数字を推測されるのを避けて、当該手の動きでは第三者からいずれの数字を選択したのかを推察されにくいようにした技術がある（特許文献２）。
【特許文献１】特開平０９−０５４８６２号公報
【特許文献２】特開平０９−２３７１９６号公報
【発明の開示】
【発明が解決しようとする課題】
【０００５】
上述した前者の方法では、テンキーの構成は変わらず、表示位置座標が変わるだけなので、テンキーの表示面積が大きく、手の動作から暗証番号を推察される可能性が大きいという問題があった。
【０００６】
また、上述した後者の方法では、回転数字板のポインタの位置が固定であるために、暗証番号の入力時の漏洩防止効果が弱いという問題がある。
【課題を解決するための手段】
【０００７】
本発明は、これらの問題を解決するため、数字を表示する表示部と、表示部に表示する数字を変える数字キーと、表示部に表示された数字を暗証番号として入力するときに押下する１つの確定キーとを設け、数字キーが押下される毎に、乱数で発生させた１つの数字を表示部に順次表示し、確定キーが押下される毎に、表示部に表示されている１つの数字を暗証番号とするようにしている。
【０００８】
また、０から９までの数字をそれぞれ表示する表示部と、表示部に表示されている０から９までの数字のうちのいずれか１つを指すポインタの位置を変えるポインタキーと、表示部に表示された数字を暗証番号として入力する確定キーとを設け、ポインタキーが押下される毎に、乱数で発生させた数字に対応する表示部上の数字の位置をポインタで指し、確定キーが押下される毎に表示部上のポインタで指されている数字を暗証番号とするようにしている。
【０００９】
従って、暗証番号を入力する際に、入力者の手の動きや位置から第三者に暗証番号を推察されることを防止することが可能となる。
【発明の効果】
【００１０】
本願発明は、暗証番号入力時に、乱数で０から９のいずれかの数字を発生させて表示あるいは表示されている０から９のうちの該当数字をポインタで指し、確定キーが押下されたときに乱数で発生して表示あるいはポインタで指した数字を暗証番号として入力する構成を採用しているため、暗証番号入力時に、入力者の手の動きや位置から推測されることを防止することが可能となる。
【発明を実施するための最良の形態】
【００１１】
本発明は、乱数によって発生させた０から９の数字の１つを表示あるいはポインタで指し確定キーを押下して暗証番号入力し、暗証番号入力時に、入力者の手の動きや位置から推測されることを防止することを実現した。
【実施例１】
【００１２】
図１は、本発明の１実施例構成図（その１）を示す。
【００１３】
図１において、表示部１は、０から９までのうちの乱数で発生させた１つの数字を表示するものであって、例えば後述する図３の（ａ）の画面１１上に暗証番号入力時に表示される１つの数字を表示する部分である。
【００１４】
数字キー２は、表示部１に表示する乱数の数字を変える指示を入力するものであって、
例えば後述する図３の（ａ）の画面１１上に暗証番号入力時に表示される数字キーである。
【００１５】
確定キー３は、表示部１に表示された乱数の１つの数字を、暗証番号として入力するときに押下するキーであって、例えば後述する図３の（ａ）の画面１１上に暗証番号入力時に表示される確定キーである。
【００１６】
ＡＴＭ４は、現金自動入出金装置であって、ここでは、暗証番号を入力するものであり、処理部５などから構成されるものである。
【００１７】
処理部５は、プログラムに従い各種処理を行うものであって、ここでは、暗証番号入力処理を行うものであり、暗証番号入力部６、乱数発生部７、取引処理部８などから構成されるものである。
【００１８】
暗証番号入力部６は、取引処理部８から暗証番号入力が必要なときにその指示を受けて、表示部１、数字キー２、確定キー３を画面１１上に図示のように表示し、利用者が数字キー２を押下したときに乱数発生部７によって発生させた乱数の数字を表示部１に表示したり、確定キー２が押下されたときに表示部１に表示されている数字を暗証番号として取り込んだりなどするものである（図２および図３を用いて後述する）。
【００１９】
乱数発生部７は、システムが持つ時刻をもとに乱数で０から９のいずれかの数字を発生するものである。
【００２０】
取引処理部８は、暗証番号で本人確認などしてＯＫのときに入出金の取引などを行うものである。
【００２１】
次に、図２のフローチャートの順番に従い図１の構成の動作を詳細に説明する。
【００２２】
図２は、本発明の動作説明フローチャート（その１）を示す。
【００２３】
図２において、Ｓ１は、  暗証番号Ｎ桁目の数字が表示されるまで数字キー２を押下する。これは、利用者が図１の数字キー２を押下する毎に、暗証番号入力部６が乱数発生部７によって発生させた乱数の、０から９までの数字の１つの数字を、表示部１に表示することを繰り返し、利用者が表示部１に乱数で発生されて表示された数字を、暗証番号のＮ桁目（最初は、１桁目、次は２桁目、その次は３桁目というように）と等しくする。
【００２４】
Ｓ２は、確定キーを押下する。これは、Ｓ１で利用者が数字キー２を押下、あるいは押下することを繰り返し、表示部１に暗証番号のＮ桁目（最初は１桁目、２回目は２桁目・・・）が表示されたので、確定キー３を押下して暗証番号として確定して入力する。そして、Ｓ３に進む。
【００２５】
Ｓ３は、暗証番号の桁数か判別する。これは、Ｓ１、Ｓ２を暗証番号の桁数Ｎだけ繰り返して入力終了（確定キー３を押下して入力終了）したか判別する。尚、確定した暗証番号は、図示しないが、暗証番号フィールドにその桁数を表す「＊」の数で何桁入力したかを分かるようになっているので、当該＊の数を利用者が数えて入力した暗証番号の桁数を確認できる。ＹＥＳの場合には、利用者は確定キーを暗証番号の桁数の数だけ押下して入力したので終了する。ＮＯの場合には、暗証番号の次の桁数の入力を、Ｓ１に戻り繰り返す。
【００２６】
以上によって、利用者は、図１の数字キー２を押下して乱数で発生させた１つの数字が表示部１に表示されるので、これを見て入力しようとする数字であれば確定キー３を押下して確定して次の桁の入力、入力しようとする数字でなければ数字キー２を押下することを繰り返して入力しようとする数字を表示させて確定キー３を押下し確定して次の桁の入力を行うことを繰り返し、所定桁の暗証番号を入力することにより、暗証番号入力時に、入力者の手の動きや位置から当該暗証番号が推測されることを防止できる。
【００２７】
図３は、本発明の動作説明図（その１）を示す。これは、図１、図２で乱数で発生させて表示部１に乱数の数字を表示させて暗証番号を入力するときの詳細説明を示す。
【００２８】
図３の（ａ）は、暗証番号入力時に、画面１１上に表示部１、数字キー２、確定キー３を表示する例を示す。
【００２９】
図３の（ａ）において、画面１１は、ＡＴＭ４の表示装置上に表示された画面の例を示す。ここでは、画面１１の右側に、ご入金、ご出金、通帳記入、残高照会などのメニューキーを表示し、下段の（ａ−１）に記載したように、これらいずれかの処理を選択して暗証番号の入力が必要となったときに、本願発明に係る、表示部１、数字キー２、確定キー３が当該画面１１上に図示のように表示される。
【００３０】
図３の（ｂ）は、表示例を示す。これは、利用者が暗証番号の入力が必要となったときに表示された図３の（ａ）の数字キー２を順次押下して、乱数で発生した数字を表示部１に表示して確定キー３を押下して確定するときの当該乱数の数字のパターンの例を示す。ここでは、図示のように、
・パターン１（暗証番号の１桁目の入力のときの乱数の数字のパターン１）：
・パターン２（暗証番号の２桁目の入力のときの乱数の数字のパターン２）：
・パターン３（暗証番号の３桁目の入力のときの乱数の数字のパターン３）：
・パターン４（暗証番号の４桁目の入力のときの乱数の数字のパターン４）：
・・・
・パターンｎ（暗証番号のＮ桁目の入力のときの乱数の数字のパターンＮ）：
とする。今、暗証番号「３０７９」を入力する場合、
（１）暗証番号の１桁目：乱数としてパターン１が発生されるので、数字キー２を３回押下して入力する数字「３」が表示部１に表示されるので、この状態で確定キー３を押下し、暗証番号の１桁目の「３」を入力する。
【００３１】
（２）暗証番号の２桁目：乱数としてパターン２が発生されるので、数字キー２を７回押下して入力する数字「０」が表示部１に表示されるので、この状態で確定キー３を押下し、暗証番号の１桁目の「０」を入力する。
【００３２】
（３）同様に、暗証番号の３桁目は数字キー２を５回、４桁目は数字キーを６回をそれぞれ押下し、暗証番号の３桁目、４桁目の「７」、「９」をそれぞれ入力する。
【００３３】
以上のように、数字キー２を押下あるいは押下を繰り返し表示部１に乱数で発生した、毎回異なる数字のうちの入力しようとする数字を表示させて確定キー３を押下することを繰り返し、暗証番号を入力することにより、入力者の手の動きや位置から当該暗証番号が推測されることを防止できる。尚、乱数は、例えばシステム時刻（例えば年月日時分秒ミリ秒のうちの必要な桁数）を初期値として発生するので、発生毎にその数は異なり、同じ装置でも同じ乱数列が発生することはない。
【００３４】
図４は、本発明の１実施例構成図（その２）を示す。
【００３５】
図４において、表示部２１は、０から９までの数字をそれぞれ表示するものであって、例えば既述した図３の（ａ）の画面１１上に表示される表示部１の代わりに、暗証番号入力時に０から９までの数字をそれぞれ表示する表示部である。
【００３６】
ポインタキー２２は、表示部２１に表示された０から９のうちのいずれかの数字をポイントする（指す）ポインタを乱数で発生させた数字の位置に移動させるキーであって、例えば既述した図３の（ａ）の画面１１上に表示される数字キー２の代わりに、表示部２１に表示された０から９のうちのいずれかの数字をポイントするポインタを乱数で発生させた数字の位置に移動させるために表示されたポインタキーである。
【００３７】
確定キー２３は、表示部２１に表示された０から９のうちのポインタでポイントされた１つの数字を、暗証番号として入力するときに押下するキーであって、例えば既述した図３の（ａ）の画面１１上に表示される確定キー３と同様なものであり、ポインタでポイントされる表示部２１中の１つの数字を確定して暗証番号として入力するためのものである。
【００３８】
ＡＴＭ４は、現金自動入出金装置であって、ここでは、入出力処理などで必要となったときに暗証番号を入力するものであり、処理部５などから構成されるものである。
【００３９】
処理部５は、プログラムに従い各種処理を行うものであって、ここでは、暗証番号入力処理を行うものであり、暗証番号入力部６１、乱数発生部７、取引処理部８などから構成されるものである。
【００４０】
暗証番号入力部６１は、取引処理部８から暗証番号入力が必要なときにその指示を受けて、表示部２１、ポインタキー２２、確定キー２３を図３の（ａ）の画面１１上に図示しないが上述したように表示し、利用者が表示されたポインタキー２２を押下したときに乱数発生部７によって発生させた乱数の数字と一致する表示部２１上の数字にポインタでポイント表示したり、確定キー２３を押下したときに表示部２１上のポインタでポイントされている数字を暗証番号として取り込んだりなどするものである（図５を用いて後述する）。
【００４１】
乱数発生部７は、システムが持つ時刻をもとに乱数で０から９のいずれかの数字を発生させるものである。
【００４２】
取引処理部８は、暗証番号で本人確認などしてＯＫのときに入出金の取引などを行うものである。
【００４３】
次に、図５のフローチャートの順番に従い図４の構成の動作を詳細に説明する。
【００４４】
図５は、本発明の動作説明フローチャート（その２）を示す。
【００４５】
図５において、Ｓ１１は、  暗証番号Ｎ桁目の数字をポインタが指すまでポインタキー２２を押下する。これは、利用者が図４のポインタキー２２を押下する毎に、暗証番号入力部６１が乱数発生部７によって発生させた乱数の、０から９までの数字の１つの数字に対応する、表示部２１上に表示されている０から９までの数字の１つをポインタでポイントすることを繰り返し、利用者が表示部２１に乱数で発生されてポインタでポイントされた数字を、暗証番号のＮ桁目（最初は、１桁目、次は２桁目、その次は３桁目というように）と等しくする。
【００４６】
Ｓ１２は、確定キー２３を押下する。これは、Ｓ１１で利用者がポインタキー２２を押下、あるいは押下することを繰り返し、表示部２１に表示されている０から９の数字のうちのポインタでポイントされている暗証番号のＮ桁目（最初は１桁目、２回目は２桁目・・・）の数字が指定されたので、確定キー２３を押下して暗証番号として確定して入力する。そして、Ｓ１３に進む。
【００４７】
Ｓ１３は、暗証番号の桁数か判別する。これは、Ｓ１１、Ｓ１２を暗証番号の桁数Ｎだけ繰り返して入力終了（確定キー２３を押下して入力終了）したか判別する。尚、確定した暗証番号は、図示しないが、暗証番号フィールドにその桁数を表す「＊」の数で何桁入力したかを分かるようになっているので、当該＊の数を利用者が数えて入力した暗証番号の桁数を確認できる。ＹＥＳの場合には、利用者は確定キー２３を暗証番号の桁数の数だけ押下して入力したので終了する。ＮＯの場合には、暗証番号の次の桁数の入力を、Ｓ１１に戻り繰り返す。
【００４８】
以上によって、利用者は、図４のポインタキー２２を押下して乱数で発生させた１つの数字に対応する、表示部２１上の０から９のうちの１つの数字をポインタでポイント表示するので、これを見て入力しようとする数字であれば確定キー２３を押下して確定して次の桁の入力、一方、入力しようとする数字でなければポインタキー２２を押下することを繰り返して入力しようとする数字を表示させて確定キー２３を押下し確定して次の桁の入力を行うことを繰り返し、所定桁の暗証番号を入力することにより、暗証番号入力時に、入力者の手の動きや位置から当該暗証番号が推測されることを防止できる。
【００４９】
図６は、本発明の１実施例構成図（その３）を示す。
【００５０】
図６において、表示部３１は、０から９までの数字を複数のグループに分割してグループ毎にその属する数字をそれぞれ表示するのであって、例えば既述した図３の（ａ）の画面１１上に表示される表示部１の代わりに、暗証番号入力時に０から９までの数字を複数のグループに分割してグループ毎にその属する数字をそれぞれ表示する表示部である。
【００５１】
ポインタキー３２は、乱数で発生させた数字を、ポインタでポイントするように当該ポインタを移動表示させるキーである。乱数で発生させた数字が、現在表示中のグループに属する数字にあるときはポインタをその数字に移動表示し、現在表示中のグループに属する数字でないときは、当該数字が属するグループの数字を全て表示した上で該当数字をポインタでポイント表示する。例えば既述した図３の（ａ）の画面１１上に表示される数字キー２の代わりに当該ポインタキー３２を表示し、当該ポインタキー３２が押下されると、表示部３１に表示されたグループに属する数字中に乱数で発生させた数字があればそれをポインタでポイントし、なければ当該数字が属するグループの数字を全て表示した上でその数字をポインタでポイント表示する。
【００５２】
確定キー３３は、表示部３１に表示されたグループに属する数字のうちのポインタでポイントされた１つの数字を、暗証番号として入力するときに押下するキーであって、例えば既述した図３の（ａ）の画面１１上に表示される確定キー３と同様なものであり、ポインタでポイントされる表示部３１中の１つの数字を確定して暗証番号として入力するためのものである。
【００５３】
ＡＴＭ４は、現金自動入出金装置であって、ここでは、入出力処理などで必要となったときに暗証番号を入力するものであり、処理部５などから構成されるものである。
【００５４】
処理部５は、プログラムに従い各種処理を行うものであって、ここでは、暗証番号入力処理を行うものであり、暗証番号入力部６２、乱数発生部７、取引処理部８などから構成されるものである。
【００５５】
暗証番号入力部６２は、取引処理部８から暗証番号入力が必要なときにその指示を受けて、表示部３１、ポインタキー３２、確定キー３３を図３の（ａ）の画面１１上に図示しないが上述したように表示し、利用者が表示されたポインタキー３２を押下したときに乱数発生部７によって発生させた乱数の数字が属するグループの全ての数字を表示した上で一致する数字にポインタでポイント表示したり、確定キー３３を押下したときに表示部３１上のポインタでポイントされている数字を暗証番号として取り込んだりなどするものである（図７を用いて後述する）。
【００５６】
乱数発生部７は、システムが持つ時刻をもとに乱数で０から９のいずれかの数字を発生させるものである。
【００５７】
取引処理部８は、暗証番号で本人確認などしてＯＫのときに入出金の取引などを行うものである。
【００５８】
次に、図７のフローチャートの順番に従い図６の構成の動作を詳細に説明する。
【００５９】
図７は、本発明の動作説明フローチャート（その３）を示す。
【００６０】
図７において、Ｓ２１は、ポインタキー３２を押す。これは、利用者が暗証番号を入力するために、既述した図６のポインタキー３２を押下する。
【００６１】
Ｓ２２は、乱数で発生した数字が表示部３１にあるか判別する。これは、Ｓ２１でポインタキー３２が押下されたときに、暗証番号入力部６２が乱数発生部７によって発生させた乱数の、０から９までの数字の１つの数字が現在、表示部３１上に表示されているグループの数字中にあるか判別する。ＹＥＳの場合には、Ｓ２４でポインタを表示、即ち、表示部３１上に表示されているグループの数字中の該当数字をポインタでポイントするように表示する。一方、ＮＯの場合には、現在、表示部３１上に表示されているグループの数字中にないと判明したので、Ｓ２３で乱数のある数字を含む組合せに切換（乱数で発生させた数字の属するグループに表示を切換）、Ｓ２４で切り換えた後のグループに属する数字中の該当数字にポインタをポイント表示する。
【００６２】
Ｓ２５は、暗証番号Ｎ桁の数字を指しているか判別する。これは、Ｓ２４でポインタがポイントする数字が暗証番号Ｎ桁の数字を指している（数字と同一）か判別する。ＹＥＳの場合には、ポインタがポイントしている数字が暗証番号Ｎ桁の数字と判明したので、Ｓ２６で確定キー３３を押下して確定入力し、Ｓ２７に進む。一方、Ｓ２５のＮＯの場合には、ポインタがポイントしている数字が暗証番号Ｎ桁の数字でないと判明したので、Ｓ２１に戻り、ポインタキー３２を押下して乱数で発生させた次の数字をポインタでポイントするようにして繰り返す。
【００６３】
Ｓ２７は、暗証番号の桁数か判別する。これは、暗証番号の桁数だけ、Ｓ２６の確定キー３３を押下して暗証番号の数だけの入力を完了したか判別する。ＹＥＳの場合には、終了する。ＮＯの場合には、Ｓ２１に戻り繰り返す。
【００６４】
以上によって、利用者は、図６のポインタキー３２を押下して乱数で発生させた１つの数字に対応する、表示部２１上の該当グループ中の複数の数字のうちの１つの数字をポインタでポイント表示するので、これを見て入力しようとする数字であれば確定キー３３を押下して確定して次の桁の入力、一方、入力しようとする数字でなければポインタキー３２を押下することを繰り返して入力しようとする数字をポイントさせて確定キー３３を押下し確定して次の桁の入力を行うことを繰り返し、所定桁の暗証番号を入力することにより、暗証番号入力時に、入力者の手の動きや位置から当該暗証番号が推測されることを防止できると共に、表示部３１に表示する数０から９を複数のグループに分けて切り換えて該当数字をポインタでポイント表示することで、表示する部分の数を少なくすることが可能となる。
【産業上の利用可能性】
【００６５】
本発明は、乱数によって発生させた０から９の数字の１つを表示あるいはポインタで指して確定キーを押下して暗証番号入力し、暗証番号入力時に、入力者の手の動きや位置から推測されることを防止することが可能となる。
【図面の簡単な説明】
【００６６】
【図１】本発明１実施例構成構成図（その１）である。
【図２】本発明の動作説明フローチャート（その１）である。
【図３】本発明の説明図（その１）である。
【図４】本発明の１実施例構成図（その２）である。
【図５】本発明の動作説明フローチャート（その２）である。
【図６】本発明の１実施例構成図（その３）である。
【図７】本発明の動作説明フローチャート（その３）である。
【符号の説明】
【００６７】
１，１１，２１：表示部
２：数字キー
１１，２１：ポインタキー
３，１３，２３：確定キー
４：ＡＴＭ
５：処理部
６，６１，６２：暗証番号入力部
７：乱数発生部
８：取引処理部
【図１】
2005182094.tif 000003
【図２】
2005182094.tif 000004
【図３】
2005182094.tif 000005
【図４】
2005182094.tif 000006
【図５】
2005182094.tif 000007
【図６】
2005182094.tif 000008
【図７】
2005182094.tif 000009